【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
ポリマーの存在下で、架橋性基を反応させる工程を含み、
前記架橋性基が、少なくとも１つの式（Ｉ）：
【化１】
2014518311.tif 000001
の架橋性ユニットで置換されたコアユニットを含み、前記架橋性基が、前記ポリマーに結合されるか、または、前記ポリマーと混合される架橋性化合物であり；Ａｒが、非置換または、一価の置換基および、前記式（Ｉ）のユニットを前記コアユニットに結合する二価の結合基から独立して選択される、１つ以上の置換基で置換されてもよいアリールまたはヘテロアリールであり；ならびに、Ｒが、それぞれ独立して、Ｈ、一価の置換基または、少なくとも１つのＲがＨではないという条件で、前記式（Ｉ）のユニットを前記コアユニットに結合する二価の結合基である、
架橋ポリマーを形成する方法。
【請求項２】
前記少なくとも１つの式（Ｉ）のユニットが、式（Ｉａ）：
【化２】
2014518311.tif 000002
を有する、請求項１に記載の方法。
【請求項３】
少なくとも１つのＲが、電子供与性基である、請求項１又は２に記載の方法。
【請求項４】
少なくとも１つのＲが、直鎖状または分岐鎖状のＣ１−２０アルキルおよびＣ１−２０アルコキシからなる群から選択される、請求項１から３のいずれかに記載の方法。
【請求項５】
１つのＲのみが、Ｈではない、請求項１から４のいずれかに記載の方法。
【請求項６】
前記架橋性基が、式（Ｉ）のユニットを１つのみ含む、請求項１から５のいずれかに記載の方法。
【請求項７】
前記架橋性基が、式（Ｉ）のユニットを少なくとも２つ含む、請求項１から５のいずれかに記載の方法。
【請求項８】
前記架橋性基が、前記ポリマーと混合された架橋性化合物である、請求項１から７のいずれかに記載の方法。
【請求項９】
前記架橋性化合物が、式（ＩＩａ）または（ＩＩｂ）：
【化４】
2014518311.tif 000003
の化合物であり、式（ＩＩａ）および（ＩＩｂ）中、Ａが、前記コアユニットを表し；Ｓｐ１が、スペーサ基を表し；ｎが、少なくとも２であり；ｗが、それぞれ独立して、０または１であり；Ｓｐ１、ＡｒおよびＲが、それぞれ同一でも異なってもよい、請求項８に記載の方法。
【請求項１０】
前記架橋性基が、前記ポリマーに共有結合される、請求項１から７のいずれかに記載の方法。
【請求項１１】
前記架橋性基が、前記ポリマーの繰り返しユニットである、請求項１０に記載の方法。
【請求項１２】
前記繰り返しユニットが、式（ＩＩＩａ）または（ＩＩＩｂ）：
【化５】
2014518311.tif 000004
を有し、式（ＩＩＩａ）および（ＩＩＩｂ）中、ＲＵが、前記ポリマーの骨格に含まれるコア繰り返しユニットを表し；Ｓｐ２が、スペーサ基を表し；ｍが、０または１であり；および、ｐが、少なくとも１である、請求項１１に記載の方法。
【請求項１３】
ＲＵが、式（ＸＶ）：
【化６】
2014518311.tif 000005
を有し、式（ＸＶ）中、Ａｒ１およびＡｒ２が、それぞれ独立して、置換されてもよいアリールまたはヘテロアリールから選択され、ｎが、１以上であり、好ましくは１または２であり、ｘおよびｙが、それぞれ独立して、１、２または３であり；＊が、Ｓｐ２、ＡｒまたはＲへの結合を表し；ならびに、Ａｒ１およびＡｒ２が、直接結合または二価の結合基により結合されてもよい、請求項１２に記載の方法。
【請求項１４】
ＲＵが、式（ＸＶＩ）：
【化７】
2014518311.tif 000006
を有し、式（ＸＶＩ）中、Ａｒ６が、置換または非置換のアリールまたはヘテロアリールの基を表し、＊が、Ｓｐ２、ＡｒまたはＲへの結合を表す、請求項１３に記載の方法。
【請求項１５】
Ａｒ６が、フェニル、フルオレンおよびインデノフルオレンからなる群から選択され、それぞれが、置換されてもよいし、または、非置換でもよい、請求項１４に記載の方法。
【請求項１６】
前記式（ＩＩＩａ）または（ＩＩＩｂ）の繰り返しユニットが、式（ＩＩＩｃ）：
【化８】
2014518311.tif 000007
を有し、式（ＩＩＩｃ）中、Ｒ１およびＲ２が、それぞれ独立して、Ｈまたは、少なくとも１つのＲ１およびＲ２が、式−（Ｓｐ２）ｍ−ＸＬを有するという条件で置換基であり；ＸＬが、式（Ｉ）の架橋性ユニットであり；および、ａが、少なくとも１である、請求項１２、１４または１５のいずれかに記載の方法。
【請求項１７】
前記式（ＩＩＩａ）または（ＩＩＩｂ）の繰り返しユニットが、式（ＩＩＩｄ）：
【化９】
2014518311.tif 000008
を有し、式（ＩＩＩｄ）中、Ａｒ１、Ａｒ２およびＡｒ３が、それぞれ独立して、置換または非置換のアリールまたはヘテロアリールの基から選択され、ｚが、それぞれ、少なくとも１であり、および、少なくとも１つの基Ａｒ３が、少なくとも１つの式（Ｓｐ２）ｍ−ＸＬの置換基で置換され、式中、Ｘｌが、式（Ｉ）の架橋性ユニットである、請求項１２に記載の方法。
【請求項１８】
Ｓｐ２が、Ｃ１−２０のｎ−アルキル鎖および、置換されていてもよいアリールまたはヘテロアリールからなる群から選択され、前記ｎ−アルキル鎖の１つ以上の隣接していないＣ原子が、置換されてもよいアリールまたはヘテロアリール、Ｏ、Ｓ、置換Ｎ、置換Ｓｉ、−Ｃ＝Ｏおよび−ＣＯＯ−で置換されてもよく、アルキルの１つ以上のＨ原子が、Ｃ１−５アルキル、Ｆまたはアリールもしくはヘテロアリールの基で置換されてもよい、請求項１２から１７のいずれかに記載の方法。
【請求項１９】
式（ＩＶａ）または（ＩＶｂ）のモノマー。
【化１０】
2014518311.tif 000009
2014518311.tif 000010
式（ＩＶａ）および（ＩＶｂ）中、ＲＵ、Ｓｐ２、ｍおよびｐが、請求項１２−１８のいずれかに規定の通りであり、および、Ｘが、独立して、重合性基である。
【請求項２０】
各Ｘが、独立して、遷移金属媒介性クロスカップリング重合に関与可能な脱離基である、請求項１９に記載のモノマー。
【請求項２１】
各Ｘが、独立して、ハロゲン、ボロン酸およびボロン酸エステルからなる群から選択される、請求項２０に記載のモノマー。
【請求項２２】
式（ＩＩＩａ）または（ＩＩＩｂ）：
【化１１】
2014518311.tif 000011
2014518311.tif 000012
の繰り返しユニットを含み、式（ＩＩＩａ）および（ＩＩＩｂ）中、ＲＵ、Ｓｐ２、ｍおよびｐが、請求項１２から１８のいずれかに規定の通りである、
ポリマー。
【請求項２３】
式（ＸＩＩＩ）の化合物。
【化１２】
2014518311.tif 000013
式（ＸＩＩＩ）中、ＡｒおよびＲが、請求項１から５のいずれかに規定の通りであり、および、Ｙが、脱離基である。
【請求項２４】
Ｙが、ハロゲン、好ましくは、臭素またはヨウ素である、請求項２３に記載の化合物。
【請求項２５】
式（ＩＩａ）または（ＩＩｂ）の化合物。
【化１３】
2014518311.tif 000014
2014518311.tif 000015
式（ＩＩａ）および（ＩＩｂ）中、Ａｒが、それぞれ同一でも異なってもよいアリールまたはヘテロアリールであり、それぞれが、非置換でもよいし、または、１つ以上の置換基で置換されてもよく；Ｒが、それぞれ独立して、Ｈ、一価の置換基または、少なくとも１つのＲがＨではないという条件で、前記式（Ｉ）のユニットをコアユニットに結合する二価の結合基であり；Ａが、コアユニットを表し；Ｓｐ１が、それぞれ同一でも異なってもよいスペーサ基を表し；ｎが、少なくとも２であり；および、ｗが、それぞれ独立して、０または１である。
【請求項２６】
請求項２５に記載の化合物を重合する工程を含む、
ポリマーを形成する方法。